【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
血管内へ埋め込まれ、展開されるように適合された自己拡張型インプラント装置であって、該インプラントがその長さの少なくとも一部分に沿って焼灼領域を備え、該焼灼領域が血管と表面接触し、かつ少なくとも１つの実質的に完全な環状バンド又はらせん状のバンドの範囲を定めるように適合されており、該インプラント装置へのエネルギ印加による血管内のシグナル遮断経路の焼灼に前記焼灼領域が有効である、自己拡張型インプラント装置。
【請求項２】
前記焼灼領域が、強磁性材料、フェリ磁性材料、若しくは反強磁性材料である磁気ヒステリシスを示す材料の少なくとも１種を含む、又は
前記焼灼領域が、強磁性材料、フェリ磁性材料、若しくは反強磁性材料である磁気ヒステリシスを示す材料の少なくとも１種を含み、前記インプラント装置が含鉄流体を備える、
請求項１に記載のインプラント。
【請求項３】
体温が活性化を引き起こすように、活性化温度が３５℃〜３７℃の熱活性コーティングを備える、
又は、
前記外部エネルギ供給手段によって前記焼灼領域が加熱された場合のみ活性化が引き起こされるように、活性化温度が４５℃より高い熱活性コーティングを備える、
請求項１又は２に記載のインプラント。
【請求項４】
制限された壊死性の損傷及び／又は神経毒性による損傷を生み出すことが可能な物質を備え、及び該物質で満たされ、前記インプラントが加熱された場合に開放する腔を備え、該物質が下記物質の選択、又は１又は複数の組成物であり：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシン；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体、
及び、２成分性の神経毒を送達するように、該物質が放出前に混合される、請求項１〜４のいずれか一に記載のインプラント。
【請求項５】
肺静脈に適合した形状を備え、及び前記インプラント装置の焼灼領域が、前記肺静脈と表面接触し、かつ少なくとも１つの実質的に完全な環状バンドの範囲を定めるように適合されており、及び最大周長と最少周長、並びに最大周長と最少周長との比を備え、該比が３より大きく７未満である、及び前記インプラントの長手方向に沿って変化する周長を備え、該周長が少なくとも３６ｍｍ、最大２５０ｍｍの間で変化する、
又は、
腎動脈に適合した形状を備え、及び前記インプラント装置の焼灼領域が、前記腎動脈と表面接触し、少なくとも１つの実質的にらせん状のバンドの範囲を定めるように適合されており、直径が少なくとも５ｍｍ、最大１０ｍｍである原則的に円筒状の形状を備える、請求項１〜４のいずれか一項に記載のインプラント。
【請求項６】
遠位部分及び近位部分を備え、前記焼灼領域が、該近位部分からインプラントの全長の５０％以内に配置される、及び／又は、
遠位部分及び近位部分を備え、前記焼灼領域が該近位部分から１５ｍｍ以内に配置される、
請求項１〜５のいずれか一項に記載のインプラント。
【請求項７】
遠位部分及び近位部分を備え、定着具の過熱を防止する熱絶縁的な連結を介して前記インプラントの焼灼領域に連結された定着具を備え、該定着具が前記遠位部分に連結されている、請求項１〜６のいずれか一項に記載のインプラント。
【請求項８】
請求項１〜７のいずれか一項に記載のインプラント装置の１、２、３、４又はそれ以上を備え、
及び、
１又は複数のインプラント装置を１又は複数の血管の所望の位置又はその近傍に輸送及び送達するために好適なシースと１又は複数のインプラントを有するシースを１又は複数の血管の所望の位置へと順次ガイドするために好適なガイドワイヤを備え、
及び、
請求項１〜７のいずれか一項に記載の１、２、３、又は４のインプラント装置を備え、各インプラント装置が対応する肺静脈に適合されている、又は請求項１〜７のいずれか一項に記載の１又は２のインプラント装置を備え、各インプラント装置が対応する腎動脈に適合されている、
システム。
【請求項９】
前記インプラント装置から空間的に分離され、該インプラント装置の焼灼領域の温度を焼灼温度にまで昇温させるために前記インプラント装置にエネルギを供給することが可能な外部エネルギ供給手段を備える、請求項８に記載のシステム。
【請求項１０】
１又は２以上の血管内への埋め込みに好適な１又は２以上のインプラント装置を加熱する方法であって、
後にシース及びガイドワイヤによって前記血管内に前記インプラント装置を設置するステップであって、該インプラント装置の各々がそれらの長さの少なくとも一部分に沿って焼灼領域を備え、該焼灼領域が少なくとも１つの実質的に完全な環状バンド又は実質的にらせん状のバンドの範囲を定め、前記インプラント装置へのエネルギ印加による前記血管内のシグナル遮断経路の焼灼に該インプラント装置が有効であるステップ；
前記シース及びガイドワイヤを引き戻すステップ；
前記インプラント装置から空間的に分離された外部エネルギ供給手段によって、該インプラント装置の焼灼領域を加熱するステップ、
を含み、
前記シース及びガイドワイヤが引き戻された後に加熱が行われ、前記インプラント装置の加熱が同時に行われることを特徴とする、方法。
【請求項１１】
前記各インプラント装置の少なくとも一部が、強磁性材料、フェリ磁性材料、又は反強磁性材料である磁気ヒステリシスを示す材料の少なくとも１種から製造され、及び、前記インプラント装置が含鉄流体を備える、請求項１０に記載の方法。
【請求項１２】
前記インプラント装置の少なくとも１つが、体温が活性化を引き起こすように、活性化温度が３５℃〜３７℃の熱活性コーティングを備える、
及び／又は
前記インプラント装置の少なくとも１つが、前記外部エネルギ供給手段によって前記焼灼領域が加熱された場合のみ活性化が引き起こされるように、活性化温度が４５℃より高い熱活性コーティングを備える、
請求項１０又は１１に記載の方法。
【請求項１３】
前記インプラント装置が、制限された壊死性の損傷及び／又は神経毒性による損傷を生じることが可能な物質を備え、
前記インプラント装置の少なくとも１つが、前記物質で満たされ、該インプラントが加熱された場合に開放する腔を備え、
前記物質が下記物質の選択、又は１又は複数の組成物であり：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシン；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体。
及び、２成分性の神経毒を送達するように、少なくとも２種の物質が放出前に混合される、請求項１０〜１２のいずれか一項に記載の方法。
【請求項１４】
前記インプラント装置の少なくとも１つが、肺静脈に適合した形状を備え、
前記血管が１又は複数の肺静脈を含み、前記インプラント装置の焼灼領域が、前記肺静脈と表面接触するように適合され、前記インプラント装置へのエネルギ印加によって前記肺静脈内のシグナル遮断経路を焼灼するように少なくとも１つの実質的に完全な環状バンドの範囲を定めており、
及び／又は、
前記インプラント装置の少なくとも１つが腎動脈に適合した形状を備え
前記血管が１又は複数の腎動脈を含み、前記インプラント装置の焼灼領域が、前記腎動脈と表面接触するように適合され、前記インプラント装置へのエネルギ印加によって前記腎動脈内のシグナル遮断経路を焼灼するために少なくとも１つの実質的にらせん状のバンドの範囲を定めている、
請求項１０〜１３のいずれか一項に記載の方法。
【請求項１５】
前記インプラント装置の位置で時変磁場を作り出す外部エネルギ供給手段によって加熱が行われ、
及び／又は、
１又は複数の前記インプラント装置の焼灼領域を外部エネルギ供給手段によって加熱する前に回復期間を観察し、該観察期間が該インプラント装置を血管壁内に組み込むことができるように十分長期である、
及び／又は、
前記インプラント装置から空間的に分離された外部エネルギ供給手段によって該インプラント装置の焼灼領域を加熱するステップが、十分に間隔のあいた時間間隔で反復的に実施される、
請求項１０〜１４のいずれか一項に記載の方法。